(57)【要約】【課題】筆記具の軸部の形状、太さ等に関係なく、装着できる筆記具用アクセサリーを提供する。【解決手段】筆記具用アクセサリー１をクリップ１７に装着するには、取り付け環状部１３の穴１４をクリップ１７に宛がい、取り付け環状部１３をある程度の力で押しこむようにすれば、取り付け環状部１３が弾性変形して穴１４が拡がり、凸部１９を通過させることができる。そして、筆記具用アクセサリー１をクリップ１７の上端まで摺動させる。取り付け環状部１３は合成ゴムによって構成されているので、弾性力を有していることからクリップ１７に圧接し、筆記具用アクセサリー１はクリップ１７の所望の位置に止めることが可能である。【選択図】        図２
0003170299.tif 000002
【実用新案登録請求の範囲】
【請求項１】
装飾が施された装飾部と、前記装飾部に設けられ弾性体によって構成された取り付け環状部とから成ることを特徴とする筆記具用アクセサリー。
【請求項２】
請求項１に記載した筆記具用アクセサリーにおいて、装飾部にはフックが設けられ、前記フックに取り付け環状部が着脱自在に嵌められており、且つ前記フックの先端部には前記取り付け環状部がフックから容易に抜けないようするための抜け止め凸部が形成されていることを特徴とする筆記具用アクセサリー。
【考案の詳細な説明】
【技術分野】
【０００１】
本考案はシャープペンシル、ボールペン等の筆記具用アクセサリーに係り、特にクリップを備えた筆記具用アクセサリーに関するものである。
【背景技術】
【０００２】
近年、携帯電話機や筆記具等の持ち物にアクセサリーを付けて楽しむことが広く行われている。
例えば特許文献１に記載された筆記具のように、アクセサリーを備えたものもある。この筆記具では軸部にリングをはめて、アクセサリーを筆記具に装着している。
【先行技術文献】
【特許文献】
【０００３】
【特許文献１】特開２００８−２９０２５３号公報
【考案の概要】
【考案が解決しようとする課題】
【０００４】
しかしながら、上記従来の筆記具用アクセサリーはリング等を筆記具の軸部にはめることにより取り付けているので、軸部の形状、太さによっては装着することができないという問題がある。
本考案は上記従来の問題点に着目して為されたものであり、筆記具の軸部の形状、太さ等に関係なく、装着できる筆記具用アクセサリーの提供を、その目的とする。
【課題を解決するための手段】
【０００５】
請求項１の考案は、装飾が施された装飾部と、前記装飾部に設けられ弾性体によって構成された取り付け環状部とから成ることを特徴とする筆記具用アクセサリーである。
【０００６】
請求項２の考案は、請求項１に記載した筆記具用アクセサリーにおいて、装飾部にはフックが設けられ、前記フックに取り付け環状部が着脱自在に嵌められており、且つ前記フックの先端部には前記取り付け環状部がフックから容易に抜けないようするための抜け止め凸部が形成されていることを特徴とする筆記具用アクセサリーである。
【考案の効果】
【０００７】
本考案の筆記具用アクセサリーによれば、筆記具の軸部の形状、太さ等に関係なく、装着することが可能でとなる。
【図面の簡単な説明】
【０００８】
【図１】本考案の実施の形態１に係る筆記具用アクセサリーをシャープペンシルに装着した状態の斜視図である。
【図２】図１の筆記具用アクセサリーの裏面側の構造と、シャープペンシルのクリップが設けられた部分を示す斜視図である。
【図３】図１の筆記具用アクセサリーを装着したシャープペンシルのクリップが設けられた部分の側面部である。
【図４】本考案の実施の形態２に係る筆記具用アクセサリーをシャープペンシルに装着した状態の斜視図である。
【考案を実施するための形態】
【０００９】
本考案の実施の形態１に係る筆記具用アクセサリー１を図１から図３にしたがって説明する。
符号３は本体を示し、この本体３はハート型の平板状で金色に塗装されている。本体３の表面には多数の宝石の模造品５が固定されている。
本体３と宝石の模造品５とによって装飾部が構成されている。
【００１０】
本体３の裏面にはフック７が設けられており、このフック７は基端部が本体３の裏面に固定され、この基端部に連続する部分が本体部３から離間する方向へ延びており、更に上方へ向かって延びている。そして、フック７の先端部には抜け止め凸部９が形成されている。この抜け止め凸部９は本体３の方向へ突出しており、従って、フック７の中間部と本体３の裏面との間には、空間１１が形成されている。
【００１１】
符号１３は合成ゴム製の取り付け環状部を示し、この取り付け環状部１３はリング状に形成された穴１４を有している。取り付け環状部１３はフック７に嵌められており、取り付け環状部１３の一部が空間１１にはまり込んでいる。従って、取り付け環状部１３の上方には抜け止め凸部９が位置しており、取り付け環状部１３はフック７から容易に抜けない状態となっている。
なお、前記したように取り付け環状部１３は合成ゴムによって構成されているので、取り付け環状部１３の穴１４をフック７の先端部に対向させて、ある程度の力で押しこむようにすれば、取り付け環状部１３が弾性変形して穴１４が拡がり、フック７に穴１４を通過させることができ、空間１１に嵌めこむことが可能である。
【００１２】
符号１５は筆記具としてのシャープペンシルを示し、このシャープペンシル１５にはクリップ１７が設けられ、このクリップ１７には凸部１９が設けられている。
筆記具用アクセサリー１をクリップ１７に装着するには、取り付け環状部１３の穴１４をクリップ１７に宛がい、取り付け環状部１３をある程度の力で押しこむようにすれば、取り付け環状部１３が弾性変形して穴１４が拡がり、凸部１９を通過させることができる。そして、図１、図３に示すように筆記具用アクセサリー１をクリップ１７の上端まで摺動させる。取り付け環状部１３は合成ゴムによって構成されており、弾性力を有していることからクリップ１７に弾接するため、筆記具用アクセサリー１をクリップ１７の所望の位置に止めることが可能である。
【００１３】
上記のように筆記具用アクセサリー１によれば、筆記具の軸部の形状、太さ等に関係なく装着することが可能である。しかも、取り付け環状部１３は合成ゴムによって構成され、弾性変形自在なので、殆どの太さのクリップに装着することができる。
また、筆記具用アクセサリー１をクリップ１７から外す場合には、筆記具用アクセサリー１をクリップ１７の下端部に向かって摺動させて、少し強い力で取り付け環状部１３を下方へ引っ張れば、取り付け環状部１３が弾性変形して凸部１９を越えてクリップ１７から外れる。
【００１４】
上記のように取り付け環状部１３は本体３に対し着脱することができるので、サイズの異なる取り付け環状部１３に交換することが可能であり、クリップの太さが極端に大きい場合等には、これに合ったサイズの取り付け環状に交換すれば、どのようなクリップのサイズにも対応することができる。
【００１５】
また、ハート型の平板状の本体３のほか、図４に示す本考案の実施の形態２に係る筆記具用アクセサリー２１のように例えばリボン型の平板状の本体２３と、この本体２３の表面に設けた多数の宝石の模造品５によって装飾部を構成してもよい。
なお、筆記具用アクセサリー２１の裏面側の構造は実施の形態１に係る筆記具用アクセサリー１と同様である。
【００１６】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では装飾部として、ハート型またはリボン型の本体に宝石の模造品を備えたものを示したが、本考案はこれに限定されず、円盤型のキャンディをモチーフとした等、他のデザインのものを自由に採用することができる。また、塗装する色彩も金色に限らず、自由に選択でき、複数色によって塗装してもよいのは勿論である。
また、宝石の模造品を使用しないで装飾してもよい。
取り付け環状部はリンク状の他、各筒状等に形成してもよい。
【産業上の利用可能性】
【００１７】
本考案の筆記具用アクセサリーはアクセサリーの製造業に利用可能である。
【符号の説明】
【００１８】
１…筆記具用アクセサリー      ３…本体      ５…宝石の模造品
７…フック      ９…抜け止め凸部        １１…空間
１３…取り付け環状部        １４…穴        １５…シャープペンシル
１７…クリップ        １９…凸部        ２１…筆記具用アクセサリー
２３…本体
【図１】
0003170299.tif 000003
【図２】
0003170299.tif 000004
【図３】
0003170299.tif 000005
【図４】
0003170299.tif 000006